(57)【要約】【課題】食用に供し、消費者に多様な味及び口当たりを提供するシャーチーマーを提供する。【解決手段】シャーチーマーのシャーチーマー本体１０の外表面には、１層の粘性食材２０が塗布され、１層の酥鬆食材３０及び種実類粉砕粒４０がその上に撒かれ、粘性食材２０の粘性により酥鬆食材３０及び種実類粉砕粒４０がシャーチーマー本体１０に付着される。シャーチーマー本体１０は、直方体の形状又は立方体の形状を有する。シャーチーマー本体１０は小麦粉、卵及びベーキングパウダーからなる。粘性食材２０はチョコレート又は麦芽糖である。酥鬆食材３０は海苔、素食田麩又は田麩である。種実類粉砕粒４０は杏仁の粉砕粒、ピーナツの粉砕粒又は胡麻である。【選択図】図１
0003188173.tif 000002
【実用新案登録請求の範囲】
【請求項１】
シャーチーマー本体の外表面には、１層の粘性食材が塗布され、１層の酥鬆食材及び種実類粉砕粒がその上に撒かれ、前記粘性食材の粘性により前記酥鬆食材及び前記種実類粉砕粒が前記シャーチーマー本体に付着されることを特徴とするシャーチーマー。
【請求項２】
前記シャーチーマー本体は、直方体の形状を有することを特徴とする請求項１に記載のシャーチーマー。
【請求項３】
前記シャーチーマー本体は、立方体の形状を有することを特徴とする請求項１に記載のシャーチーマー。
【請求項４】
前記シャーチーマー本体は、小麦粉、卵及びベーキングパウダーからなるものであることを特徴とする請求項１に記載のシャーチーマー。
【請求項５】
前記粘性食材はチョコレートであることを特徴とする請求項１に記載のシャーチーマー。
【請求項６】
前記粘性食材は麦芽糖であることを特徴とする請求項１に記載のシャーチーマー。
【請求項７】
前記酥鬆食材は海苔であることを特徴とする請求項１に記載のシャーチーマー。
【請求項８】
前記酥鬆食材は素食田麩であることを特徴とする請求項１に記載のシャーチーマー。
【請求項９】
前記酥鬆食材は田麩であることを特徴とする請求項１に記載のシャーチーマー。
【請求項１０】
前記種実類粉砕粒は杏仁の粉砕粒であることを特徴とする請求項１に記載のシャーチーマー。
【請求項１１】
前記種実類粉砕粒はピーナツの粉砕粒であることを特徴とする請求項１に記載のシャーチーマー。
【請求項１２】
前記種実類粉砕粒は胡麻であることを特徴とする請求項１に記載のシャーチーマー。
【考案の詳細な説明】
【技術分野】
【０００１】
本考案は、シャーチーマーに関し、特に、食用に供し、消費者に多様な味及び口当たりを提供するシャーチーマーに関する。
【背景技術】
【０００２】
シャーチーマー（ｓａｃｉｍａ）とは、卵を主な原料とする方形状の甘味のお菓子であり、日本語でサチマとも称する。
【０００３】
一般のシャーチーマーは、例えば、直方体、立方体など見た目の形状が異なる上、主原料が略同じであるため、メーカーはシャーチーマーの販売量を増やすために、各種香料を加えたり形状を変えたりして味に対する消費者の満足度を高める努力をしている。
【０００４】
従来シャーチーマーの味は単調で口当りが理想的でなく、消費者の購買意欲を満たすことができなかった。そのため、従来の問題点を解決することができる技術が求められていた。
【考案の概要】
【考案が解決しようとする課題】
【０００５】
本考案の目的は、食用に供し、消費者に多様な味及び口当たりを提供するシャーチーマーを提供することにある。
【課題を解決するための手段】
【０００６】
上記課題を解決するために、本考案の第１の形態によれば、シャーチーマー本体の外表面には、１層の粘性食材が塗布され、１層の酥鬆食材及び種実類粉砕粒がその上に撒かれ、前記粘性食材の粘性により前記酥鬆食材及び前記種実類粉砕粒が前記シャーチーマー本体に付着されることを特徴とするシャーチーマーが提供される。
【０００７】
前記シャーチーマー本体は、直方体の形状を有することが好ましい。
【０００８】
前記シャーチーマー本体は、立方体の形状を有することが好ましい。
【０００９】
前記シャーチーマー本体は、小麦粉、卵及びベーキングパウダーからなるものであることが好ましい。
【００１０】
前記粘性食材はチョコレートであることが好ましい。
【００１１】
前記粘性食材は麦芽糖であることが好ましい。
【００１２】
前記酥鬆食材は海苔であることが好ましい。
【００１３】
前記酥鬆食材は素食田麩であることが好ましい。
【００１４】
前記酥鬆食材は田麩であることが好ましい。
【００１５】
前記種実類粉砕粒は杏仁の粉砕粒であることが好ましい。
【００１６】
前記種実類粉砕粒はピーナツの粉砕粒であることが好ましい。
【００１７】
前記種実類粉砕粒は胡麻であることが好ましい。
【図面の簡単な説明】
【００１８】
【図１】図１は、本考案の第１実施形態に係るシャーチーマーを示す部分断面斜視図である。
【図２】図２は、本考案の第１実施形態に係るシャーチーマーを示す断面図である。
【図３】図３は、本考案の第２実施形態に係るシャーチーマーを示す部分断面斜視図である。
【考案を実施するための形態】
【００１９】
以下、本考案の実施形態について図に基づいて説明する。なお、これによって本考案が限定されるものではない。
【００２０】
（第１実施形態及び第２実施形態）
図１〜図３を参照する。図１は、本考案の第１実施形態に係るシャーチーマーを示す部分断面斜視図である。図２は、本考案の第１実施形態に係るシャーチーマーを示す断面図である。図３は、本考案の第２実施形態に係るシャーチーマーを示す部分断面斜視図である。図１〜図３に示すように、本考案の第１実施形態に係るシャーチーマーのシャーチーマー本体１０は、直方体又は立方体の形状を有する。シャーチーマー本体１０は、小麦粉、卵、ベーキングパウダーを均一に混ぜ、捏ねたり揉んだりして生地を作った後、麺状に切ってから油で揚げ、その後シロップを混ぜて金型で成形してからブロック状に切り、シャーチーマー本体１０の外表面に１層のチョコレート又は麦芽糖からなる粘性食材２０を塗り、１層の海苔、素食（ベジタリアン）田麩又は田麩からなる酥鬆（小麦粉に脂肪や砂糖を混ぜて作った軟らかい中国の菓子）食材３０と、複数の杏仁の粉砕粒、ピーナツの粉砕粒、胡麻の種実類粉砕粒４０とを撒き、粘性食材２０の粘性により酥鬆食材３０、種実類粉砕粒４０をシャーチーマー本体１０に付着させる。
【００２１】
上述の各要素の組合せにより形成した本考案のシャーチーマーを食べる消費者は、シャーチーマー本体１０のクリーミーな口当りを得たり、粘性食材２０のチョコレート又は麦芽糖の香ばしい口当りを得たり、酥鬆食材３０の海苔、ベジタリアン田麩又は田麩の塩辛い好適な口当りを得たり、種実類粉砕粒４０の杏仁の粉砕粒、ピーナツの粉砕粒、胡麻により好適な噛み応えを得て、消費者は多様な味及び口当りを楽しむことができる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１０  シャーチーマー本体
２０  粘性食材
３０  酥鬆食材
４０  種実類粉砕粒
【図１】
0003188173.tif 000003
【図２】
0003188173.tif 000004
【図３】
0003188173.tif 000005